(57)【要約】【課題】ガイドシャフトを撓ませることなく、クリアランスをできるだけ小さくして、薄型の光ディスク装置を提供することを目的とする。【解決手段】光ディスクに対してレーザ光を照射する光ピックアップ装置８と、光ピックアップ装置８を移動自在に支持するガイドシャフト６と、光ディスク側からガイドシャフト６の一端部を支持する第１支持部１０ａと、第１支持部１０ａとは対向して配置され第１支持部１０ａとの間に挿入されたガイドシャフト６の一端部を光ディスクと反対側から支持する第２支持部１０ｂと、ガイドシャフト６の一端部を第１支持部１０ａ及び第２支持部１０ｂを介して保持するベース２と、を備え、第１支持部１０ａまたは第２支持部１０ｂの少なくとも一方の他方に対向する面はガイドシャフト６の軸方向で凸形状である光ディスク装置とした。【選択図】図４
2008010087.tif 000002
【特許請求の範囲】
【請求項１】
光ディスクに対してレーザ光を照射する光ピックアップ装置と、
前記光ピックアップ装置を移動自在に支持するガイドシャフトと、
前記光ディスク側から前記ガイドシャフトの一端部を支持する第１支持部と、
前記第１支持部とは対向して配置され前記第１支持部との間に挿入された前記ガイドシャフトの前記一端部を前記光ディスクと反対側から支持する第２支持部と、
前記ガイドシャフトの前記一端部を前記第１支持部及び前記第２支持部を介して保持するベースと、を備え、
前記第１支持部または前記第２支持部の少なくとも一方の他方に対向する面は前記ガイドシャフトの軸方向で凸形状であることを特徴とする光ディスク装置。
【請求項２】
前記ガイドシャフトを前記第１支持部と前記第２支持部との間に挿入する方向に最大角度傾けた場合前記ガイドシャフトが前記第１支持部に接する第１の点と、前記第１支持部と前記第２支持部との間で前記方向と逆方向に最大角度傾けた場合前記ガイドシャフトが前記第１支持部に接する第２の点と、を結ぶ線のガイドシャフト側に、前記第１支持部の凸形状の頂点は突出していることを特徴とする請求項１記載の光ディスク装置。
【請求項３】
前記ガイドシャフトを前記第１支持部と前記第２支持部との間に挿入する方向に最大角度傾けた場合前記ガイドシャフトが前記第２支持部に接する第１の点と、前記第１支持部と前記第２支持部との間で前記方向と逆方向に最大角度傾けた場合前記ガイドシャフトが前記第２支持部に接する第２の点と、を結ぶ線のガイドシャフト側に、前記第２支持部の凸形状の頂点は突出していることを特徴とする請求項１記載の光ディスク装置。
【請求項４】
前記第１支持部と前記第２支持部とは、前記ガイドシャフトの軸方向にずれて配置されていることを特徴とする請求項１記載の光ディスク装置。
【請求項５】
前記第１支持部は前記ベースと一体であることを特徴とする請求項１記載の光ディスク装置。
【請求項６】
前記第２支持部は前記ベースと一体であることを特徴とする請求項１記載の光ディスク装置。
【請求項７】
前記第１支持部は前記第２支持部と一体であることを特徴とする請求項１記載の光ディスク装置。
【請求項８】
前記第１支持部は剛性体であることを特徴とする請求項１記載の光ディスク装置。
【請求項９】
前記剛性体は金属であることを特徴とする請求項８記載の光ディスク装置。
【請求項１０】
前記第２支持部は剛性体であることを特徴とする請求項１記載の光ディスク装置。
【請求項１１】
前記剛性体は金属であることを特徴とする請求項１０記載の光ディスク装置。
【請求項１２】
前記第１支持部は弾性体であることを特徴とする請求項１記載の光ディスク装置。
【請求項１３】
前記弾性体は樹脂であることを特徴とする請求項１２記載の光ディスク装置。
【請求項１４】
前記第２支持部は弾性体であることを特徴とする請求項１記載の光ディスク装置。
【請求項１５】
前記弾性体は樹脂であることを特徴とする請求項１４記載の光ディスク装置。
【請求項１６】
前記凸形状は前記ガイドシャフトの軸方向に平行かつ前記光ディスクの面に直角な方向の断面が略円周の一部である形状であることを特徴とする請求項１記載の光ディスク装置。
【請求項１７】
前記凸形状は前記ガイドシャフトの軸方向に平行かつ前記光ディスクの面に直角な方向の断面が略三角形の２つの辺である形状であることを特徴とする請求項１記載の光ディスク装置。
【請求項１８】
前記第１支持部または前記第２支持部の少なくとも一方に細隙を設けたことを特徴とする請求項１記載の光ディスク装置。
【請求項１９】
前記第１支持部または前記第２支持部の少なくとも一方を有して前記ベースに固定される支持部材を備え、前記ガイドシャフトの前記一端部の側方にある前記光ディスクに対して略直角な前記支持部材の内側面は、前記ガイドシャフトの軸方向で凸形状であることを特徴とする請求項１記載の光ディスク装置。
【請求項２０】
前記第１支持部または前記第２支持部の少なくとも一方を有して前記ベースに固定される支持部材を備え、前記ガイドシャフトの前記一端部の側方にある前記光ディスクに対して略直角な前記支持部材の壁部に細隙を設けたことを特徴とする請求項１記載の光ディスク装置。
【発明の詳細な説明】
【技術分野】
【０００１】
本発明はノートブック型パーソナルコンピュータを始めとするコンピュータ等の電子機器に搭載される光ディスク装置に関するものである。
【背景技術】
【０００２】
従来、光ディスク装置はノートブック型パーソナルコンピュータの薄型化の進展に伴い、薄型化が進められてきた。
【０００３】
図１５は従来の薄型の光ディスク装置の光ピックアップモジュールの外観図である。光ディスク装置の光ディスク及び光ピックアップ装置１０８を駆動する駆動機構を光ピックアップモジュール１０１という。ベース１０２は光ピックアップモジュール１０１の骨組みを成すもので、このベース１０２に直接的、間接的に各構成部品を固定する。
【０００４】
光ディスクを載置するターンテーブルを備えたスピンドルモータ１０３はベース１０２に固定される。スピンドルモータ１０３は光ディスクを回転させる回転駆動力を生成する。フィードモータ１０４はベース１０２に固定される。フィードモータ１０４は光ピックアップ装置１０８が光ディスクの内周と外周の間を移動するために必要な回転駆動力を生成する。フィードモータ１０４としてステッピングモータ、ＤＣモータなどが使用される。スクリューシャフト１０５はらせん状に溝が掘られており、直接または数段のギアを介してフィードモータ１０４に接続される。ガイドシャフト１０６は一端を調整部材１０９、他端を支持部材１１０でベース１０２に固定される。ガイドシャフト１０７は両端で調整部材１０９を介してベース１０２に固定される。ガイドシャフト１０６、１０７は光ピックアップ装置１０８を移動自在に支持する。光ピックアップ装置１０８はスクリューシャフト１０５の溝と噛み合うガイド歯を有するラックを備える。ラックがスクリューシャフト１０５に伝達されたフィードモータ１０４の回転駆動力を直線駆動力に変換するために光ピックアップ装置１０８は光ディスクの内周と外周の間を移動することができる。
【０００５】
光ピックアップ装置１０８は光ディスクにレーザ光を照射し、光ディスクに情報を記録したり、光ディスクの情報を再生したりする。高品質な情報の記録や再生を行うためには光ピックアップ装置１０８から出射されるレーザ光は光ディスクに対して、直角に照射されなければならない。そのため、ガイドシャフト１０６は支持部材１１０を基準に調整部材１０９で光ディスクに対する傾き調整がなされる。さらにガイドシャフト１０７は両端の調整部材１０９で光ディスクに対する傾き調整がなされる。
【０００６】
図１６は従来の支持部材の図１５のＥ−Ｅ断面図である。図１７（ａ）は従来の支持部材にガイドシャフトを挿入する際の図、図１７（ｂ）は従来の支持部材中でガイドシャフトが最大に傾いている図である。支持部材１１０は本体１１０ｃでベース１０２に固定される。支持部材１１０は光ディスク側からガイドシャフト１０６を支持する第１支持部１１０ａと光ディスクと反対側からガイドシャフト１０６を支持する第２支持部１１０ｂとを有する。ガイドシャフト１０６は光ピックアップ装置１０８を支持しながら第１支持部１１０ａと第２支持部１１０ｂで支持される。第１支持部１１０ａと第２支持部１１０ｂとはガイドシャフト１０６の軸方向にずれて配置されている。ガイドシャフト１０６は、第１支持部１１０ａと第２支持部１１０ｂとがずれていることを利用して斜めに支持部材１１０に挿入され、他端部から光ピックアップ装置１０８の軸受部を貫通して、他端部が調整部材１０９に装着される。次に、調整部材１０９により光ディスクに対する傾きを調整する。その際、図１７（ｂ）に示すように大きく傾けることもあり得る。
【０００７】
（特許文献１）において、第１支持部１１０ａと第２支持部１１０ｂの間隔をガイドシャフト１０６の直径よりも小さくすることが開示されており、そのことにより、ガイドシャフト１０６を光ディスクに対して位置精度良く固定できる。しかし、光ディスク装置の薄型化が進むにつれ、ガイドシャフト１０６の直径も細くなる傾向にある。そのため、ガイドシャフト１０６を調整部材１０９に装着したり、調整部材１０９により傾きを調整したりする際に、ガイドシャフト１０６が撓んでしまうことがあった。そこで、ガイドシャフト１０６が撓まないように、図１６に示すクリアランスＦを確保するようになった。ガイドシャフト１０６は光ピックアップ装置１０８の自重により主として第２支持部１１０ｂに支持される。
【特許文献１】特開平１１−１４９７２４号公報
【発明の開示】
【発明が解決しようとする課題】
【０００８】
ところが、クリアランスは光ディスク装置の厚さ方向であり、光ディスク装置の薄型化をさらに進めようとする場合に、このクリアランスもさらに小さくすることが必要になった。
【０００９】
本発明は上記従来の問題点を解決するもので、ガイドシャフトを撓ませることなく、クリアランスをできるだけ小さくして、薄型の光ディスク装置を提供することを目的とする。
【課題を解決するための手段】
【００１０】
上記目的を達成するために本発明は、光ディスクに対してレーザ光を照射する光ピックアップ装置と、前記光ピックアップ装置を移動自在に支持するガイドシャフトと、前記光ディスク側から前記ガイドシャフトの一端部を支持する第１支持部と、前記第１支持部とは対向して配置され前記第１支持部との間に挿入された前記ガイドシャフトの前記一端部を前記光ディスクと反対側から支持する第２支持部と、前記ガイドシャフトの前記一端部を前記第１支持部及び前記第２支持部を介して保持するベースと、を備え、前記第１支持部または前記第２支持部の少なくとも一方の他方に対向する面は前記ガイドシャフトの軸方向で凸形状であることを特徴とする光ディスク装置とした。
【００１１】
第１支持部または第２支持部の少なくとも一方の他方に対向する面を凸形状とすることにより、第１支持部または第２支持部の頂点をガイドシャフトに近づけることができ、クリアランスを小さくすることができる。また、ガイドシャフトは、最大に傾いた状態でも第１支持部、第２支持部と干渉しないために撓みにくい。
【発明の効果】
【００１２】
本発明の光ディスク装置は、第１支持部または第２支持部の凸形状の頂点をガイドシャフトに近づけることができるために、ガイドシャフトを撓ませることなく、クリアランスを小さくすることができる。クリアランスが小さくなる分、厚さを薄くすることができるため、薄型の光ディスク装置を実現することができる。また、クリアランスが小さい分だけ安定してガイドシャフトを保持できる。また、凸形状にしたので、ガイドシャフトを挿入する際に挿入しやすい。
【発明を実施するための最良の形態】
【００１３】
本発明の請求項１の発明は、光ディスクに対してレーザ光を照射する光ピックアップ装置と、光ピックアップ装置を移動自在に支持するガイドシャフトと、光ディスク側からガイドシャフトの一端部を支持する第１支持部と、第１支持部とは対向して配置され第１支持部との間に挿入されたガイドシャフトの一端部を光ディスクと反対側から支持する第２支持部と、ガイドシャフトの一端部を第１支持部及び第２支持部を介して保持するベースと、を備え、第１支持部または第２支持部の少なくとも一方の他方に対向する面はガイドシャフトの軸方向で凸形状である光ディスク装置である。
【００１４】
第１支持部または第２支持部の少なくとも一方の他方に対向する面を凸形状とすることにより、第１支持部または第２支持部の頂点をガイドシャフトに近づけることができ、クリアランスを小さくすることができる。また、ガイドシャフトは、最大に傾いた状態でも第１支持部、第２支持部と干渉しないために撓みにくい。したがって、クリアランスが小さくなる分、厚さを薄くすることができるため、薄型の光ディスク装置を実現することができる。また、クリアランスが小さい分だけ安定してガイドシャフトを保持できる。また、凸形状にしたので、ガイドシャフトを挿入する際に挿入しやすい。
【００１５】
請求項２の発明は、請求項１の発明において、ガイドシャフトを第１支持部と第２支持部との間に挿入する方向に最大角度傾けた場合ガイドシャフトが第１支持部に接する第１の点と、第１支持部と第２支持部との間で前記方向と逆方向に最大角度傾けた場合ガイドシャフトが第１支持部に接する第２の点と、を結ぶ線のガイドシャフト側に、第１支持部の凸形状の頂点は突出している光ディスク装置である。
【００１６】
第１支持部の第１の点と第２の点とを結ぶ線が従来の第１支持部のガイドシャフトを支持する位置である。その線よりも第１支持部の凸形状の頂点をガイドシャフト側に突出させることで第１支持部とガイドシャフトとのクリアランスを小さくできる。また、ガイドシャフトは、最大に傾いた状態でも第１支持部と接触するだけで干渉しないために撓まない。
【００１７】
請求項３の発明は、請求項１の発明において、ガイドシャフトを第１支持部と第２支持部との間に挿入する方向に最大角度傾けた場合ガイドシャフトが第２支持部に接する第１の点と、第１支持部と第２支持部との間で前記方向と逆方向に最大角度傾けた場合ガイドシャフトが第２支持部に接する第２の点と、を結ぶ線のガイドシャフト側に、第２支持部の凸形状の頂点は突出している光ディスク装置である。
【００１８】
第２支持部の第１の点と第２の点とを結ぶ線が従来の第２支持部のガイドシャフトを支持する位置である。その線よりも第２支持部の凸形状の頂点をガイドシャフト側に突出させることで第２支持部とガイドシャフトとのクリアランスを小さくできる。また、ガイドシャフトは、最大に傾いた状態でも第２支持部と接触するだけで干渉しないために撓まない。
【００１９】
請求項４の発明は、請求項１の発明において、第１支持部と第２支持部とは、ガイドシャフトの軸方向にずれて配置されている光ディスク装置である。
【００２０】
ガイドシャフトの一端部を第１支持部と第２支持部との間に装着する際に、ガイドシャフトを大きく傾けても第１支持部や第２支持部に干渉しにくい。そのため、ガイドシャフトの一端部を第１支持部と第２支持部との間に楽に挿入することができる。
【００２１】
請求項５の発明は、請求項１の発明において、第１支持部はベースと一体である光ディスク装置である。
【００２２】
第１支持部は光ディスクに対して光ピックアップ装置が近づく限界を決める１つであり、第１支持部がベースと一体で作られることにより、高さ方向の精度を上げることができ、光ピックアップ装置が光ディスクと接するのを防ぐことができる。
【００２３】
請求項６の発明は、請求項１の発明において、第２支持部はベースと一体である光ディスク装置である。
【００２４】
光ピックアップ装置の自重がかかるため、第２支持部にガイドシャフトから荷重がかかる。第２支持部がベースと一体であるということはガイドシャフトはベース自体を基準にしてベースに保持されることになり、光ディスクとガイドシャフトとの距離を安定して保ちやすい。すなわち、光ピックアップ装置と光ディスクとの距離を安定して保ちやすい。
【００２５】
請求項７の発明は、請求項１の発明において、第１支持部は第２支持部と一体である光ディスク装置である。
【００２６】
量産において、１つ１つの製品の第１支持部と第２支持部との距離のばらつきを小さく抑えやすく、安定した品質を保ちやすい。
【００２７】
請求項８の発明は、請求項１の発明において、第１支持部は剛性体で作られる光ディスク装置である。
【００２８】
第１支持部は光ディスクに対して光ピックアップ装置が近づく限界を決める１つであり、第１支持部が剛性体で作られることにより、光ピックアップ装置が光ディスクと接するのを防ぐことができる。
【００２９】
請求項９の発明は、請求項８の発明において、剛性体は金属である光ディスク装置である。
【００３０】
金属は安価に入手できるので、安価な第１支持部を得ることができる。
【００３１】
請求項１０の発明は、請求項１の発明において、第２支持部は剛性体である光ディスク装置である。
【００３２】
ガイドシャフトから荷重がかかる第２支持部が剛性体であるため、光ピックアップ装置と光ディスクとの距離を安定させやすい。
【００３３】
請求項１１の発明は、請求項１０の発明において、剛性体は金属である光ディスク装置である。
【００３４】
金属は安価に入手できるので、安価な第２支持部を得ることができる。
【００３５】
請求項１２の発明は、請求項１の発明において、第１支持部は弾性体である光ディスク装置である。
【００３６】
ガイドシャフトの傾きが大きくなっても、第１支持部側に逃げることができるため、ガイドシャフトが撓みにくい。
【００３７】
請求項１３の発明は、請求項１２の発明において、弾性体は樹脂である光ディスク装置である。
【００３８】
樹脂は安価に入手できるので、安価な第１支持部を得ることができる。
【００３９】
請求項１４の発明は、請求項１の発明において、第２支持部は弾性体である光ディスク装置である。
【００４０】
ガイドシャフトは第２支持部から主として支持される。そのため、第２支持部が弾性体で作られていると、ガイドシャフトと第２支持部との間に無理な力がかかっても、ガイドシャフトが撓みにくい。
【００４１】
請求項１５の発明は、請求項１４の発明において、弾性体は樹脂である光ディスク装置である。
【００４２】
樹脂は安価に入手できるので、安価な第２支持部を得ることができる。
【００４３】
請求項１６の発明は、請求項１の発明において、凸形状はガイドシャフトの軸方向に平行かつ光ディスクの面に直角な方向の断面が略円周の一部である形状である光ディスク装置である。
【００４４】
ガイドシャフトは第１支持部の滑らかな面と接触することになり、ガイドシャフトに傷がつきにくくなったり、ガイドシャフトが撓みにくくなったりする。
【００４５】
請求項１７の発明は、請求項１の発明において、凸形状はガイドシャフトの軸方向に平行かつ光ディスクの面に直角な方向の断面が略三角形の２つの辺である形状である光ディスク装置である。
【００４６】
ガイドシャフトの光ディスクに対する傾きを調整する際に凸形状の傾斜の角度をガイドシャフトの傾きの最大角度とすることでガイドシャフトと第２支持部とのクリアランスを最小にすることができる。
【００４７】
請求項１８の発明は、請求項１の発明において、第１支持部または第２支持部の少なくとも一方に細隙を設けた光ディスク装置である。
【００４８】
ガイドシャフトは、光ディスクに対する傾きが大きかったり、衝撃が加わったりしても、第１支持部または第２支持部のうち細隙を設けた方に逃げることができるので、撓みにくい。
【００４９】
請求項１９の発明は、請求項１の発明において、第１支持部または第２支持部の少なくとも一方を有してベースに固定される支持部材を備え、ガイドシャフトの一端部の側方にある光ディスクに対して略直角な支持部材の内側面は、ガイドシャフトの軸方向で凸形状である光ディスク装置である。
【００５０】
ガイドシャフトと支持部材の内側面とのクリアランスであるガタを小さくすることができる。また、その際にも、ガイドシャフトは撓みにくい。
【００５１】
請求項２０の発明は、請求項１の発明において、第１支持部または第２支持部の少なくとも一方を有してベースに固定される支持部材を備え、ガイドシャフトの一端部の側方にある光ディスクに対して略直角な支持部材の壁部に細隙を設けた光ディスク装置である。
【００５２】
ガイドシャフトは、光ディスクに対する傾きが大きかったり、衝撃が加わったりしても、細隙を設けた壁部に逃げることができるので、撓みにくい。
【００５３】
（実施の形態１）
本実施の形態１について、図面を参照しながら説明する。図１は本実施の形態１の薄型の光ディスク装置の光ピックアップモジュールの外観図、図２は本実施の形態１の光ディスク装置の外観図である。光ディスク装置１１の光ディスク及び光ピックアップ装置８を駆動する駆動機構を光ピックアップモジュール１という。ベース２は光ピックアップモジュール１の骨組みを成すもので、このベース２に直接的、間接的に各構成部品を固定して光ピックアップモジュール１が構成される。ベース２は強い剛性が求められるため、アルミニウム合金や亜鉛めっき鋼板等の金属材料で作製されることが望ましい。
【００５４】
光ディスクを載置するターンテーブルを備えたスピンドルモータ３はベース２に固定される。スピンドルモータ３は光ディスクを回転させる回転駆動力を生成する。フィードモータ４はベース２に固定される。フィードモータ４は光ピックアップ装置８が光ディスクの内周と外周の間を移動するために必要な回転駆動力を生成する。フィードモータ４としてステッピングモータ、ＤＣモータなどが使用される。スクリューシャフト５はらせん状に溝が掘られており、直接または数段のギアを介してフィードモータ４に接続される。ガイドシャフト６は一端を支持部材１０、他端を調整部材９でベース２に固定される。ガイドシャフト７は両端で調整部材９を介してベース２に固定される。ガイドシャフト６、７はＳＵＳ３０４やＳＵＳ４２０Ｊ２等のステンレス合金等で構成され、光ピックアップ装置８を移動自在に支持する。光ピックアップ装置８はスクリューシャフト５の溝と噛み合うガイド歯を有するラックを備える。ラックがスクリューシャフト５に伝達されたフィードモータ４の回転駆動力を直線駆動力に変換するために、光ピックアップ装置８は光ディスクの内周と外周の間を移動することができる。
【００５５】
光ピックアップ装置８は光ディスクにレーザ光を照射し、光ディスクに情報を記録したり、光ディスクの情報を再生したりする。高品質な情報の記録や再生を行うためには光ピックアップ装置８から出射されるレーザ光は光ディスクに対して、直角に照射されなければならない。そのため、ガイドシャフト６は支持部材１０を基準に調整部材９で光ディスクに対する略半径方向の傾き調整がなされる。さらにガイドシャフト７は両端の調整部材９で光ディスクに対する略円周の接線方向と略半径方向の傾き調整がなされる。傾き調整は、軸方向から見て渦巻状となる円錐形状のコイルバネの先端部分に配置されたガイドシャフト６の端部をコイルバネと反対側からネジで加圧することで行われる。
【００５６】
図２において、上部筐体１２ａと下部筐体１２ｂを組み合わせてネジ等を用いて互いに固定して筐体１２とする。トレイ１３は筐体１２に出没自在に設けられる。トレイ１３はカバー１８を取り付けた光ピックアップモジュール１を下面側から配置する。カバー１８は開口を有し、光ピックアップ装置８の対物レンズを含む一部とスピンドルモータ３のターンテーブルを露出させる。本実施の形態１の場合、フィードモータ４も露出させる。ベゼル１４をトレイ１３の前端面に設け、トレイ１３が筐体１２内に収納された時に、トレイ１３の出没口を塞ぐようにする。
【００５７】
ベゼル１４にはイジェクトスイッチ１５が設けられ、イジェクトスイッチ１５を押すことで、筐体１２とトレイ１３との係合が解除され、トレイ１３は筐体１２に対し出没が可能な状態となる。レール１６はそれぞれトレイ１３の両側部及び筐体１２の双方に摺動自在に取り付けられる。
【００５８】
筐体１２の内部やトレイ１３の内部には図示していない回路基板があり、信号処理系のＩＣや電源回路などが搭載されている。外部コネクタ１７はコンピュータ等の電子機器に設けられた電源／信号ラインと接続される。そして、外部コネクタ１７を介して光ディスク装置１１内に電力を供給したり、外部からの電気信号を光ディスク装置１１内に導いたり、あるいは光ディスク装置１１で生成された電気信号を外部の電子機器等に送出したりする。
【００５９】
図３は本実施の形態１の支持部材の斜視図、図４は本実施の形態１の支持部材の図１のＡ−Ａ断面図である。支持部材１０の本体１０ｃはコの字型に腕状に壁部１０ｄを延ばしている。第１支持部１０ａが壁部１０ｄの先端部分間を光ディスクから近い側から梁状に渡し、第２支持部１０ｂが壁部１０ｄの中間部分間を光ディスクから遠い側から梁状に渡している。第１支持部材１０ａと第２支持部材１０ｂとを支持部材１０として一体で作製することによって、量産において、１つ１つの製品の第１支持部１０ａと第２支持部１０ｂとの距離のばらつきを小さく抑えやすく、安定した品質を保ちやすくすることができる。
【００６０】
図４に示すように、ガイドシャフト６は本体１０ｃ、壁部１０ｄ、第１支持部１０ａ、第２支持部１０ｂに囲まれた空間に挿入される。第１支持部１０ａの第２支持部１０ｂに対向する面は第２支持部１０ｂに向かう凸形状とした。この凸形状は、図１のＡ−Ａ断面である、ガイドシャフト６の軸方向に平行かつ光ディスクの面に直角な方向の断面が略円周の一部である形状である。また、第２支持部１０ｂの第１支持部１０ａに対向する面は第１支持部１０ａに向かう凸形状とした。この凸形状は、図１のＡ−Ａ断面が略三角形の２つの辺である形状である。
【００６１】
第１支持部１０ａは、第２支持部１０ｂに対向する面を凸形状とすることで、凸形状の頂点１０ｇが寸法Ｃだけ第１支持部１０ａの端部より第２支持部１０ｂに向かって突出している。第２支持部１０ｂは、第１支持部１０ａに対向する面を凸形状とすることで、凸形状の頂点１０ｊが寸法Ｄだけ第２支持部１０ｂの端部より第１支持部１０ａに向かって突出している。また、第１支持部１０ａと本体１０ｃとの間及び第２支持部１０ｂと本体１０ｃとの間は開口とした。これは、ガイドシャフト６を挿入し、傾き調整を行う際に不必要に支持部材１０と干渉しないようにするためである。
【００６２】
支持部材１０は弾性体であるポリアセタール、ポリブチレンテレフタレート、アクリロニトリルブタジエンスチレン、液晶ポリマー、ポリフェニレンサルファイドのような樹脂で作製した。光ピックアップ装置８の自重がかかり、ガイドシャフト６を主として支持する第２支持部１０ｂが弾性を有することにより、外部からの振動、衝撃等をガイドシャフト６に伝えにくい。また、ガイドシャフト６に不意の負荷がかかっても柔軟に受け止めて、ガイドシャフト６が撓むのを防ぐことができる。また、荷重があまりかからない第１支持部１０ａが弾性を有することにより、ガイドシャフト６の傾きが大きくなっても第１支持部１０ａ側に逃げることができ、ガイドシャフト６が撓みにくい。また、樹脂は安価であり、安価な支持部材１０を得ることができる。
【００６３】
支持部材１０は本体１０ｃでベース２に固定される。固定はネジ等を用いて行われる。ガイドシャフト６は第１支持部１０ａによって光ディスク側から支持され、光ディスクと反対側から第２支持部１０ｂによって支持される。すなわち、ガイドシャフト６は光ピックアップ装置８を移動自在に支持しながら第１支持部１０ａと第２支持部１０ｂで支持される。ガイドシャフト６と第１支持部１０ａ、第２支持部１０ｂとのクリアランスは凸形状でない場合よりも寸法Ｃ＋寸法Ｄの分だけ小さくなっている。そのためガイドシャフト６は安定して第１支持部１０ａと第２支持部１０ｂとの間で保持される。
【００６４】
図５（ａ）は本実施の形態１の支持部材にガイドシャフトを挿入する際の図、図５（ｂ）は本実施の形態１の支持部材中でガイドシャフトが最大に傾いている図である。ガイドシャフト６を支持部材１０に装着する方法について説明する。支持部材１０はあらかじめベース２に固定されている。まず、ガイドシャフト６を第１支持部１０ａと第２支持部１０ｂとがガイドシャフト６の軸方向でずれていることを利用して一端部を図５（ａ）のように斜めに支持部材１０に挿入する。ガイドシャフト６を最大角度傾けた場合、ガイドシャフト６は第１支持部１０ａの第１の点１０ｅで第１支持部１０ａと接触し、第２支持部１０ｂの第１の点１０ｈで第２支持部１０ｂと接触するようにした。そして第１の点１０ｅは第１支持部１０ａの端部となるようにし、第１の点１０ｈは第２支持部１０ｂの端部となるようにした。ここで、第１支持部１０ａと本体１０ｃとの間が開口となっているために、ガイドシャフト６は、開口から一部突出することができ、支持部材１０とは干渉しない。したがって、第１支持部１０ａと第２支持部１０ｂとがガイドシャフト６の軸方向にずれていることと合わせて、支持部材１０と干渉せずに楽にガイドシャフト６を支持部材１０に挿入することができる。特に第１支持部１０ａと第２支持部１０ｂとがガイドシャフト６の軸方向にずれていることは、ガイドシャフト６を挿入する際に傾けることができる最大の角度を大きく確保することができることであり、ガイドシャフト６を挿入しやすくできる。
【００６５】
次にガイドシャフト６の他端部から光ピックアップ装置８の軸受部を貫通して、ガイドシャフト６の他端部を調整部材９に装着する。先に光ピックアップ装置８の軸受部をガイドシャフト６に通してから支持部材１０にガイドシャフト６を挿入しても良い。
【００６６】
最後に上述の方法で調整部材９により光ディスクの略半径方向に対する傾きを調整する。図５（ｂ）に示すようにガイドシャフト６の挿入方向とは逆方向に大きく傾けることもあり得る。ガイドシャフト６を挿入方向とは逆方向に最大角度傾けた場合、ガイドシャフト６は第１支持部１０ａの第２の点１０ｆで第１支持部１０ａと接触し、第２支持部１０ｂの第２の点１０ｉで第２支持部１０ｂと接触するようにした。そして、第２の点１０ｆは第１支持部１０ａの端部となるようにした。また、第２支持部１０ｂにおいてガイドシャフト６は第２支持部１０ｂの凸形状の一方の傾斜部全体と接触することになるが、第２の点１０ｉは第２支持部１０ｂの端部に最も近い側とする。その際でも、第２支持部１０ｂと本体１０ｃとの間が開口となっているため、ガイドシャフト６と支持部材１０とは干渉しない。
【００６７】
第１支持部１０ａの第１の点１０ｅと第２の点１０ｆとを結ぶ線は従来構成においてガイドシャフト６を支持していた位置に相当する。第１の点１０ｅと第２の点１０ｆとを結ぶ線のガイドシャフト６側に第１支持部１０ａの凸形状の頂点１０ｇは突出しており、その突出量が寸法Ｃである。寸法Ｃだけ第１支持部１０ａとガイドシャフト６とのクリアランスを従来よりも小さくすることができる。また、クリアランスが小さくなるということはその分第１支持部１０ａをガイドシャフト６に寄せることができるということであり、光ディスク装置の厚さを薄くすることができる。
【００６８】
また、第２支持部１０ｂの第１の点１０ｈと第２の点１０ｉとを結ぶ線は従来構成においてガイドシャフト６を支持していた位置に相当する。第１の点１０ｈと第２の点１０ｉとを結ぶ線のガイドシャフト側に第２支持部１０ｂの凸形状の頂点１０ｊは突出しており、その突出量が寸法Ｄである。寸法Ｄだけ第２支持部１０ｂとガイドシャフト６とのクリアランスを従来よりも小さくすることができる。また、クリアランスが小さくなるということはその分第２支持部１０ｂをガイドシャフト６に寄せることができるということであり、光ディスク装置の厚さを薄くすることができる。
【００６９】
第１支持部１０ａ及び第２支持部１０ｂとは寸法Ｃ及び寸法Ｄだけ、相手方に対向する面が突出している。しかし、突出しているのは中央部のみであり、周辺部の突出は小さい。ガイドシャフト６が挿入時や調整時に第１支持部１０ａや第２支持部１０ｂと干渉しやすいのは、第１支持部１０ａや第２支持部１０ｂの周辺部である。したがって、周辺部の突出を小さくすることでガイドシャフト６と第１支持部１０ａや第２支持部１０ｂとの干渉を防いでいる。逆に第１支持部１０ａや第２支持部１０ｂの中央部はガイドシャフト６との干渉が発生しにくい。したがって、中央部の突出を大きくしても干渉は発生しにくいままである。このように中央部の突出が大きく、周辺部の突出が小さい形状は、凸形状である。
【００７０】
凸形状のうち、本実施の形態１の第１支持部１０ａのような断面が円周の一部である側面形状の場合、ガイドシャフト６は第１支持部１０ａの滑らかな面と接触することになり、ガイドシャフト６に傷がつきにくくなったり、ガイドシャフト６が撓みにくくなったりする。また、凸形状のうち、本実施の形態１の第２支持部１０ｂのような断面が略三角形の２つの辺である側面形状の場合、傾斜平面の傾斜の角度を、ガイドシャフト６の傾き調整の考えられる最大の角度とすることにより、第２支持部１０ｂを最大限に突出させることができる。したがって、ガイドシャフト６と第１支持部１０ａ、第２支持部１０ｂとのクリアランスを最小限にすることができる。本実施の形態１において、第１支持部１０ａと第２支持部１０ｂの凸形状は異なる形状としたが、同じ形状としても構わないし、入れ替えても構わない。
【００７１】
また、本実施の形態１において第１の点１０ｅ、１０ｈ、第２の点１０ｆ、１０ｉは第１支持部１０ａ、第２支持部１０ｂの端部となるようにした。しかし、第１の点１０ｅ、１０ｈ、第２の点１０ｆ、１０ｉは端部よりも内側としても良い。その際においても、第１支持部１０ａの頂点１０ｇは、第１の点１０ｅと第２の点１０ｆを結ぶ線よりもガイドシャフト６側に突出するようにする。または、第２支持部１０ｂの頂点１０ｊは、第１の点１０ｈと第２の点１０ｉを結ぶ線よりもガイドシャフト６側に突出するようにする。また、第２の点１０ｆにおける第１支持部１０ａの凸形状の傾斜、第２の点１０ｉにおける第２支持部１０ｂの凸形状の傾斜は、挿入方向と逆方向に最大角度傾けたガイドシャフト６の傾斜とほぼ同じである。
【００７２】
なお、本実施の形態１において、第１支持部１０ａの第２支持部１０ｂに対向する面を凸形状とし、第２支持部１０ｂの第１支持部１０ｂに対向する面を凸形状とした。しかし、それに限るものではない。図６（ａ）は本実施の形態１の第１支持部に対向する面が平面である第２支持部を有する支持部材の断面図、図６（ｂ）は本実施の形態１の第２支持部に対向する面が平面である第１支持部を有する支持部材の断面図である。支持部材１０は、第２支持部１０ｂの第１支持部１０ａに対向する面が平面であっても構わないし、第１支持部１０ａの第２支持部１０ｂに対向する面が平面であっても構わない。前者は第１の点１０ｅと第１の点１０ｈ及び第２の点１０ｆと第２の点１０ｉでガイドシャフト６と接触することに変わりない。したがって、頂点１０ｇのみ突出することになり、寸法Ｃだけガイドシャフト６と第１支持部１０ａとのクリアランスを小さくすることができる。また、後者は第１の点１０ｅと第１の点１０ｈ及び第２の点１０ｆと第２の点１０ｉでガイドシャフト６と接触することに変わりない。したがって、頂点１０ｊのみ突出することになり、寸法Ｄだけ、ガイドシャフト６と第２支持部１０ｂとのクリアランスを小さくすることができる。
【００７３】
また、本実施の形態１において、第１支持部１０ａと第２支持部１０ｂとは、ガイドシャフト６の軸方向で位置をずらした。しかし、ずらさなくても構わない。図７は本実施の形態１の第１支持部と第２支持部の位置をずらさない支持部材の断面図、図８（ａ）は図７の支持部材においてガイドシャフトを傾けた場合の断面図、図８（ｂ）は逆方向に傾けた場合の断面図である。ここでは図７に示すように第２支持部１０ｂを第１支持部１０ａと同じ位置まで移動させた。図８（ａ）に示すように、破線で示す第２支持部１０ｂの位置が第１支持部１０ａに対してずれている場合よりもガイドシャフト６の傾きを大きくすることができる。それは図８（ｂ）に示すガイドシャフト６を挿入する方向の最大の傾きとほぼ同じである。但し、ガイドシャフト６を挿入する方向の最大の傾きは小さくなる。したがって、ガイドシャフト６の傾きの調整幅を大きくすることができる。逆に考えると、ガイドシャフト６の傾き調整幅を一定にするならば、寸法Ｄを大きくすることができ、ガイドシャフト６と第１支持部１０ａ、第２支持部１０ｂとのクリアランスを小さくすることができる。
【００７４】
また、第１支持部１０ａや第２支持部１０ｂの凸形状は断面で円形状や三角形状でなく違う形状でも良い。以下にその例を示す。図９（ａ）は本実施の形態１の円形状の凸形状の第２支持部の断面図、図９（ｂ）は三角形状の凸形状の第２支持部の断面図、図９（ｃ）は先端部を削った凸形状の第２支持部の断面図、図９（ｄ）は側方に細隙を設けた第２支持部の断面図、図９（ｅ）は先端部に細隙を設けた第２支持部の断面図、図９（ｆ）は両側方と先端部に細隙を設けた第２支持部の断面図である。ここでは、第２支持部１０ｂを例に説明するが、第１支持部１０ａも同じである。
【００７５】
図９（ａ）、図９（ｂ）の形状は本実施の形態１で説明してきた形状である。それに対し、図９（ｃ）の形状は、三角形状の先端を削り落とした形状であり、図９（ｂ）の形状よりも先端部でのガイドシャフト６に加える圧力を小さくすることができるので、図９（ｂ）よりもガイドシャフト６を撓ませにくい。しかし、寸法Ｄは図９（ｂ）よりも小さくなってしまう。図９（ｄ）の形状は、第２支持部１０ｂの側方に細隙１０ｋを設けたもので、第２支持部１０ｂに対してより弾性を持たせることができる。そのため、外部からの振動、衝撃等をよりガイドシャフト６に伝えにくい。また、ガイドシャフト６に不意の負荷がかかってもより柔軟に受け止めて、ガイドシャフト６が撓むのをより防ぐことができる。図９（ｅ）の形状は、第２支持部１０ｂの先端部に細隙１０ｌを設けたもので、第２支持部１０ｂに対してより弾性を持たせることができる。したがって、図１０（ｄ）と同様の効果が得られる。図９（ｆ）の形状は、第２支持部１０ｂの両側方に細隙１０ｋと先端部に細隙１０ｌとを設けたもので、図９（ｄ）と図９（ｅ）を合わせた効果が得られる。
【００７６】
また、第１支持部１０ａ、第２支持部１０ｂと同様の考え方を支持部材１０の壁部１０ｄに適用しても良い。図１０（ａ）は本実施の形態１の支持部材の上面から見た断面図、図１０（ｂ）はガイドシャフトが光ディスクの面に平行な面内で回転した場合の断面図である。ガイドシャフト６の端部の両側方にある支持部材１０の壁部１０ｄの内側面を凸形状にした。ガイドシャフト６は光ディスクに平行な面内で回転しても支持部材１０とは干渉しない。そして、ガイドシャフト６と壁部１０ｄの内側面とのクリアランスを小さくできるので、ガイドシャフト６の位置精度を良くし、ガタを小さくすることができる。
【００７７】
また、壁部１０ｄにも細隙を配置することができる。図１１は本実施の形態１の壁部に細隙を配置した支持部材のガイドシャフトの軸方向から見た断面図であり、図１のＢ−Ｂ断面図である。支持部材１０の両壁部１０ｄには細隙１０ｍ、１０ｎを設けた。一方の細隙１０ｎは上方に突き抜け、他方の細隙１０ｍは突き抜けてはいない。壁部１０ｄにこのような細隙１０ｍ、１０ｎを設けることで、壁部１０ｄにより弾性を持たせ、ガイドシャフト６に光ディスクと平行な面内で強い力が加わっても壁部１０ｄでそれを受け止めることができる。特にガイドシャフト６はスクリューシャフト５からラック、光ピックアップ装置８を通して紙面右方に例えば落下等のような強い衝撃力がかかることがある。細隙１０ｎのような上方に突き抜けた細隙を設けることで、壁部１０ｄをより動きやすくし、ガイドシャフト６にかかる力を逃がすことができるため、ガイドシャフト６が撓むことを防ぐことができる。
【００７８】
以上のように、本実施の形態１の光ディスク装置は、第１支持部１０ａまたは第２支持部１０ｂの少なくとも一方の他方に対向する面を凸形状とすることにより、第１支持部１０ａまたは第２支持部１０ｂの頂点をガイドシャフト６に近づけることができ、クリアランスを小さくすることができる。また、ガイドシャフト６は、最大に傾いた状態でも第１支持部１０ａ、第２支持部１０ｂと干渉しないために撓みにくい。したがって、クリアランスが小さくなる分、厚さを薄くすることができるため、薄型の光ディスク装置を実現することができる。また、クリアランスが小さい分だけ安定してガイドシャフト６を保持できる。また、凸形状にしたので、ガイドシャフト６を挿入する際に挿入しやすい。
【００７９】
（実施の形態２）
本実施の形態２について、図面を参照しながら説明する。本実施の形態２の光ディスク装置は第１支持部がベースと一体であり、支持部材は第１支持部を有していない。それ以外については、実施の形態１と同じであり、その説明を援用する。図１２は本実施の形態２のベースと支持部材とを示す断面図である。ベース２１は剛性体であるアルミニウム合金や亜鉛めっき鋼板等の金属で作られており、第１支持部２１ａはその一部をなす。第１支持部２１ａはプレス加工や鍛造プレス加工等でベース２１から作り出される。支持部材２２は弾性体であるポリアセタール、ポリブチレンテレフタレート、アクリロニトリルブタジエンスチレン、液晶ポリマー、ポリフェニレンサルファイドのような樹脂で作られている。第１支持部１０ａは第１支持部２１ａに、第１の点１０ｅは第１の点２１ｂに、第２の点１０ｆは第２の点２１ｃに、頂点１０ｇは頂点２１ｄに置き換えられる。また、第２支持部１０ｂは第２支持部２２ａに、第１の点１０ｈは第１の点２２ｃに、第２の点１０ｉは第２の点２２ｄに、頂点１０ｊは頂点２２ｅに置き換えられる。すなわち、支持部材２２は本体２２ｂでベース２１に固定される。固定にはネジ等が用いられる。第１支持部２１ａと第２支持部２２ａとは対向して設けられている。第１支持部２１ａの第２支持部２２ａに対向する面は第２支持部２２ａに向かって突き出た凸形状である。また、第２支持部２２ａの第１支持部２１ａに対向する面は第１支持部２１ａに向かって突き出た凸形状である。ガイドシャフト６は第１支持部２１ａによって光ディスク側から端部を支持され、第２支持部２２ａによって光ディスクと反対側から端部を支持される。第１支持部２１ａと第２支持部２２ａとはガイドシャフト６の軸方向の位置がずれている。第１支持部２１ａの凸形状は実施の形態１の第１支持部１０ａと同じ、第２支持部２２ａの凸形状は実施の形態１の第２支持部１０ｂと同じである。したがって、第１支持部２１ａは凸形状である分寸法Ｃだけ、第２支持部２２ａに向かって突出しており、第２支持部２２ａは凸形状である分寸法Ｄだけ、第１支持部２１ａに向かって突出している。したがって、ガイドシャフト６と第１支持部２１ａ、第２支持部２２ａとのクリアランスは凸形状でない場合に対して寸法Ｃ＋寸法Ｄだけ小さくすることができる。その際においても、ガイドシャフト６は、第１支持部２１ａを有するベース２１、第２支持部２２ａを有する支持部材２２と干渉を起こしにくい。そのため、ガイドシャフト６は撓みにくい。
【００８０】
ガイドシャフト６は光ピックアップ装置８の自重がかかるため、第２支持部２２ａから主として支持される。そのため、第２支持部２２ａが弾性体で作られることにより、ガイドシャフト６と第２支持部２２ａとの間に無理な力がかかっても、ガイドシャフト６が撓みにくい。また、外部から振動、衝撃が加わっても第２支持部２２ａが吸収して、ガイドシャフト６には伝わりにくい。また、樹脂は安価に入手できるので、安価な支持部材２２を得ることができる。また、第１支持部２１ａは光ディスクに対して光ピックアップ装置８が近づく限界を決める１つであり、第１支持部２１ａが剛性体である金属で作られることにより、光ピックアップ装置８が光ディスクと接するのを防ぐことができる。また、金属は安価であり、第１支持部２１ａを含むベース２１を安価にすることができる。
【００８１】
第１支持部２１ａの第２支持部２２ａに対向する面の形状、第２支持部２２ａの第１支持部２１ａに対向する面の形状は、一方を平面とし、他方を凸形状としても構わないし、両方を同一の凸形状としても構わない。また、凸形状は、例えば図９に示すような形状としても構わない。また、図７と同様に、第１支持部２１ａと第２支持部２２ａとはガイドシャフト６の軸方向の位置をずらさなくても良い。また、ガイドシャフト６の端部の側方にある光ディスクに対して略直角な支持部材２２の内側面は、図１０に示すように、ガイドシャフト６の軸方向で凸形状としても構わない。さらに、ガイドシャフト６の端部の側方にある光ディスクに対して略直角な支持部材２２の壁部に細隙を設けても構わない。これらはいずれも実施の形態１と同様の効果がある。
【００８２】
以上のように、本実施の形態２の光ディスク装置は、第１支持部２１ａまたは第２支持部２２ａの少なくとも一方の他方に対向する面を凸形状とすることにより、第１支持部２１ａまたは第２支持部２２ａの頂点をガイドシャフト６に近づけることができ、クリアランスを小さくすることができる。また、ガイドシャフト６は、最大に傾いた状態でも第１支持部２１ａ、第２支持部２２ａと干渉しないために撓みにくい。したがって、クリアランスが小さくなる分、厚さを薄くすることができるため、薄型の光ディスク装置を実現することができる。また、クリアランスが小さい分だけ安定してガイドシャフト６を保持できる。また、凸形状にしたので、ガイドシャフト６を挿入する際に挿入しやすい。
【００８３】
（実施の形態３）
本実施の形態３について、図面を参照しながら説明する。本実施の形態３の光ディスク装置は第２支持部がベースと一体であり、支持部材は第２支持部を有していない。それ以外については、実施の形態１と同じであり、その説明を援用する。図１３は本実施の形態３のベースと支持部材とを示す断面図である。ベース３１は剛性体であるアルミニウム合金や亜鉛めっき鋼板等の金属で作られており、第２支持部３１ａはその一部をなす。第２支持部３１ａはプレス加工や鍛造プレス加工等でベース３１から作り出される。支持部材３２は弾性体であるポリアセタール、ポリブチレンテレフタレート、アクリロニトリルブタジエンスチレン、液晶ポリマー、ポリフェニレンサルファイドのような樹脂で作られている。支持部材３２は本体３２ｂでベース３１に固定される。固定にはネジ等が用いられる。第１支持部３２ａと第２支持部３１ａとは対向して設けられている。第１支持部１０ａは第１支持部３２ａに、第１の点１０ｅは第１の点３２ｃに、第２の点１０ｆは第２の点３２ｄに、頂点１０ｇは頂点３２ｅに置き換えられる。また、第２支持部１０ｂは第２支持部３１ａに、第１の点１０ｈは第１の点３１ｂに、第２の点１０ｉは第２の点３１ｃに、頂点１０ｊは頂点３１ｄに置き換えられる。すなわち、第１支持部３２ａの第２支持部３１ａに対向する面は第２支持部３１ａに向かって突き出た凸形状である。また、第２支持部３１ａの第１支持部３２ａに対向する面は第１支持部３２ａに向かって突き出た凸形状である。ガイドシャフト６は第１支持部３２ａによって光ディスク側から端部を支持され、第２支持部３１ａによって光ディスクと反対側から端部を支持される。第１支持部３２ａと第２支持部３１ａとはガイドシャフト６の軸方向の位置がずれている。第１支持部３２ａの凸形状は実施の形態１の第１支持部１０ａと同じ、第２支持部３１ａの凸形状は実施の形態１の第２支持部１０ｂと同じである。したがって、第１支持部３２ａは凸形状である分寸法Ｃだけ、第２支持部３１ａに向かって突出しており、第２支持部３１ａは凸形状である分寸法Ｄだけ、第１支持部３２ａに向かって突出している。したがって、ガイドシャフト６と第１支持部３２ａ、第２支持部３１ａとのクリアランスは寸法Ｃ＋寸法Ｄだけ小さくすることができる。その際においても、ガイドシャフト６は、第２支持部３１ａを有するベース３１、第１支持部３２ａを有する支持部材３２と干渉を起こしにくい。そのため、ガイドシャフト６は撓みにくい。
【００８４】
ガイドシャフト６は光ピックアップ装置８の自重がかかるため、第２支持部３１ａから主として支持される。そのため、第２支持部３１ａが剛性体である金属で作られることにより、光ディスクと光ピックアップ装置８との距離の基準となる第２支持部３１ａの位置が安定することになる。そのため、光ディスクと光ピックアップ装置８との距離を安定させやすい。また、金属は安価に入手できるので、安価なベース３１を得ることができる。また、第１支持部３２ａが弾性体である樹脂で作られることにより、ガイドシャフト６の傾きが大きくなっても、第１支持部３２ａ側に逃げることができ、ガイドシャフト６が撓むのを防ぐことができる。また、樹脂は安価であり、第１支持部３２ａを含む支持部材３２を安価にすることができる。
【００８５】
第１支持部３２ａの第２支持部３１ａに対向する面の形状、第２支持部３１ａの第１支持部３２ａに対向する面の形状は、一方を平面とし、他方を凸形状としても構わないし、両方を同一の凸形状としても構わない。また、凸形状は、例えば図９に示すような形状としても構わない。また、図７と同様に、第１支持部３２ａと第２支持部３１ａとはガイドシャフト６の軸方向の位置をずらさなくても良い。また、ガイドシャフト６の端部の側方にある光ディスクに対して略直角な支持部材３２の内側面は、図１０に示すように、ガイドシャフト６の軸方向で凸形状としても構わない。さらに、ガイドシャフト６の端部の側方にある光ディスクに対して略直角な支持部材３２の壁部に細隙を設けても構わない。これらはいずれも実施の形態１と同様の効果がある。
【００８６】
また、本実施の形態３は実施の形態２の上下を逆にした構成とも考えられる。実施の形態２では、ガイドシャフト６は光ディスクと反対側から第１支持部２１ａと第２支持部２２ａとの間に挿入していたが、本実施の形態３では光ディスク側から挿入させることもできる。図１４はガイドシャフトを光ディスク側から挿入できる本実施の形態３のベースと支持部材とを示す断面図である。図１４における第１支持部３２ａと第２支持部３１ａのガイドシャフト６の軸方向の位置のずらし方は図１３におけるずらし方と逆にした。すなわち、図１２の構成を上下逆にしたものでもある。このような構成とし、調整部材９の取り付けを上下逆にすることでガイドシャフト６を光ディスク側から第１支持部３２ａと第２支持部３１ａとの間に挿入することができる。通常、光ディスク装置１１は光ディスク側が上であり、上側からガイドシャフト６及び光ピックアップ装置８を取り付けることができるので、光ディスク装置１１を作製するのが楽にできる。
【００８７】
以上のように、本実施の形態３の光ディスク装置は、第１支持部３２ａまたは第２支持部３１ａの少なくとも一方の他方に対向する面を凸形状とすることにより、第１支持部３２ａまたは第２支持部３１ａの頂点をガイドシャフト６に近づけることができ、クリアランスを小さくすることができる。また、ガイドシャフト６は、最大に傾いた状態でも第１支持部３２ａ、第２支持部３１ａと干渉しないために撓みにくい。したがって、クリアランスが小さくなる分、厚さを薄くすることができるため、薄型の光ディスク装置を実現することができる。また、クリアランスが小さい分だけ安定してガイドシャフト６を保持できる。また、凸形状にしたので、ガイドシャフト６を挿入する際に挿入しやすい。
【産業上の利用可能性】
【００８８】
以上のように、本発明の光ディスク装置は、ガイドシャフトと第１支持部、第２支持部とのクリアランスを小さくすることができるため、厚さを薄くすることができる。したがって、特に薄型のノートブック型パーソナルコンピュータを始めとするコンピュータ等の薄型の電子機器に好んで搭載される。
【図面の簡単な説明】
【００８９】
【図１】本実施の形態１の薄型の光ディスク装置の光ピックアップモジュールの外観図
【図２】本実施の形態１の光ディスク装置の外観図
【図３】本実施の形態１の支持部材の斜視図
【図４】本実施の形態１の支持部材の図１のＡ−Ａ断面図
【図５】（ａ）本実施の形態１の支持部材にガイドシャフトを挿入する際の図、（ｂ）本実施の形態１の支持部材中でガイドシャフトが最大に傾いている図
【図６】（ａ）本実施の形態１の第１支持部に対向する面が平面である第２支持部を有する支持部材の断面図、（ｂ）本実施の形態１の第２支持部に対向する面が平面である第１支持部を有する支持部材の断面図
【図７】本実施の形態１の第１支持部と第２支持部の位置をずらさない支持部材の断面図
【図８】（ａ）図７の支持部材においてガイドシャフトを傾けた場合の断面図、（ｂ）逆方向に傾けた場合の断面図
【図９】（ａ）本実施の形態１の円形状の凸形状の第２支持部の断面図、（ｂ）三角形状の凸形状の第２支持部の断面図、（ｃ）先端部を削った凸形状の第２支持部の断面図、（ｄ）側方に細隙を設けた第２支持部の断面図、（ｅ）先端部に細隙を設けた第２支持部の断面図、（ｆ）両側方と先端部に細隙を設けた第２支持部の断面図
【図１０】（ａ）本実施の形態１の支持部材の上面から見た断面図、（ｂ）ガイドシャフトが光ディスクの面に平行な面内で回転した場合の断面図
【図１１】本実施の形態１の壁部に細隙を配置した支持部材のガイドシャフトの軸方向から見た断面図
【図１２】本実施の形態２のベースと支持部材とを示す断面図
【図１３】本実施の形態３のベースと支持部材とを示す断面図
【図１４】ガイドシャフトを光ディスク側から挿入できる本実施の形態３のベースと支持部材とを示す断面図
【図１５】従来の薄型の光ディスク装置の光ピックアップモジュールの外観図
【図１６】従来の支持部材の図１４のＥ−Ｅ断面図
【図１７】（ａ）従来の支持部材にガイドシャフトを挿入する際の図、（ｂ）従来の支持部材中でガイドシャフトが最大に傾いている図
【符号の説明】
【００９０】
１    光ピックアップモジュール
２    ベース
３    スピンドルモータ
４    フィードモータ
５    スクリューシャフト
６、７    ガイドシャフト
８    光ピックアップ装置
９    調整部材
１０    支持部材
１０ａ    第１支持部
１０ｂ    第２支持部
１０ｃ    本体
１０ｄ    壁部
１０ｅ、１０ｈ    第１の点
１０ｆ、１０ｉ    第２の点
１０ｇ、１０ｊ    頂点
１０ｋ、１０ｌ、１０ｍ、１０ｎ    細隙
１１    光ディスク装置
１２    筐体
１２ａ    上部筐体
１２ｂ    下部筐体
１３    トレイ
１４    ベゼル
１５    イジェクトスイッチ
１６    レール
１７    外部コネクタ
１８    カバー
２１    ベース
２１ａ    第１支持部
２１ｂ    第１の点
２１ｃ    第２の点
２１ｄ    頂点
２２    支持部材
２２ａ    第２支持部
２２ｂ    本体
２２ｃ    第１の点
２２ｄ    第２の点
２２ｅ    頂点
３１    ベース
３１ａ    第２支持部
３１ｂ    第１の点
３１ｃ    第２の点
３１ｄ    頂点
３２    支持部材
３２ａ    第１支持部
３２ｂ    本体
３２ｃ    第１の点
３２ｄ    第２の点
３２ｅ    頂点
【図１】
2008010087.tif 000003
【図２】
2008010087.tif 000004
【図３】
2008010087.tif 000005
【図４】
2008010087.tif 000006
【図５】
2008010087.tif 000007
【図６】
2008010087.tif 000008
【図７】
2008010087.tif 000009
【図８】
2008010087.tif 000010
【図９】
2008010087.tif 000011
【図１０】
2008010087.tif 000012
【図１１】
2008010087.tif 000013
【図１２】
2008010087.tif 000014
【図１３】
2008010087.tif 000015
【図１４】
2008010087.tif 000016
【図１５】
2008010087.tif 000017
【図１６】
2008010087.tif 000018
【図１７】
2008010087.tif 000019